(57)【要約】      （修正有）【課題】特にジャケット内に空気を流すことによって、廃熱を移動させて冷却する空冷モーターのジャケットを提供する。【解決手段】内円筒の外周面に軸方向の複数の放熱フィンが間隔をおいて設けられ、外円筒が該内円筒を覆うように設けられ、該内円筒と外円筒との間に複数の間隔プレートが軸方向に沿って間隔をおいて設けられ、該内円筒と外円筒との間に該間隔プレートにより複数の通気通路が区画される放熱ケースを備える。通気通路が外部と連通するように、前蓋及び後蓋がそれぞれ該放熱ケースの前端及び後端に取り付けられ、該外円筒の後端に送風装置が取り付けられる。該送風装置により風を送出して通気通路を通過すると、送風機からの風が通気路を通って内円筒の放熱フィンと接触することにより、モーターの稼動により発生した熱をジャケットの外部へ移動させることができる。【選択図】図１
0003178531.tif 000002
【実用新案登録請求の範囲】
【請求項１】
外周面に複数の放熱フィンが間隔をおいて軸方向に沿って設けられる内円筒と、該内円筒の外側を覆うように設けられる外円筒と、該内円筒と外円筒との間に設けられると共に、軸方向に沿って設けられ、前端面に前ネジ穴が、後端面に後ネジ穴が形成される複数の間隔プレートと、該内円筒と外円筒との間に該間隔プレートにより区画される複数の通気路とを備える放熱ケースと、
円形のプレートであり、前記通気路が外部と連通するように、前部ボルトにより前ネジ穴に螺合されることによって、前記放熱ケースの前端に取り付けられ、その中央に前軸孔が形成され、該前軸孔の内部に外側の内径より大きい内径拡大部が形成され、その内径拡大部に前部ベアリングＡが嵌合される前蓋と、
円形のプレートであり、前記通気路が外部と連通するように、後部ボルトにより後ネジ穴に螺合されることによって、前記放熱ケースの後端に取り付けられ、その中央に後軸孔が形成され、該後軸孔の内部に外側の内径より大きい内径拡大部が形成され、その内径拡大部に後部ベアリングが嵌合され、該後軸孔の周縁近傍に複数の電線通過孔が形成される後蓋と、
前記外円筒の後端に取り付けられる送風カバーと、該送風カバーに取り付けられる送風機を備える送風装置を有することを特徴とする空冷モーターのジャケット。
【請求項２】
前記前蓋は、外円筒と同一の直径を有し、放熱ケースの前端に取り付けられる円形の前部プレートを備え、該前部プレートの中央に前軸孔が形成され、該前部プレートの内側面における、前ネジ穴と対応する箇所にそれぞれ前連結管が設けられ、該前部プレートの外側面における、前ネジ穴と対応する箇所にそれぞれ前貫通孔が形成され、前記前部ボルトが該前貫通孔に挿入され、対応する前ネジ穴に螺合され、
前記後蓋は、内円筒と同一の直径を有し、放熱ケースの後端に取り付けられる円形の後部プレートを備え、該後部プレートの中央に後軸孔が形成され、該後軸孔の周縁近傍に電線通過孔が形成されると共に、該後部プレートの外周面に、前記各間隔バーと対応する複数の後凸部が放射状に延設され、該後凸部の内端に後ネジ穴と対応する後貫通孔が形成され、該後貫通孔から後部ボルトが挿入され、後ネジ穴に螺合されることを特徴とする請求項１に記載の空冷モーターのジャケット。
【請求項３】
前記前部プレートの外周面の斜め下方に、前結合孔を有する前足部が設けられ、
前記後部プレートの外周面の斜め下方における、前足部と反対する側に、後結合孔を有する後足部が設けられ、
前記送風カバーにおける、後足部と対応する箇所に、該後足部の上端を受け入れる凹部が凹設され、
前記内円筒の外周面と外円筒の内周面との間に細長状の連結部材が設けられ、該外円筒の外周面における、連結部材の両端近傍にそれぞれ吊り孔が形成され、該吊り孔に吊りリングが設置されることを特徴とする請求項２に記載の空冷モーターのジャケット。
【請求項４】
前記前部プレートの外周面の下部に、下方へいくにつれて狭くなる逆台形状を呈する支持足部が延設され、該支持足部の底面の両側近傍にネジ穴が形成され、
前記後部プレートの外周面の下部に、下方へいくにつれて狭くなる逆台形状を呈する支持足部が延設され、該支持足部の底面の両側近傍にネジ穴が形成され、
前記送風カバーに該支持足部の上端を受け入れる凹部が凹設されることを特徴とする請求項２に記載の空冷モーターのジャケット。
【請求項５】
前記後凸部の外端は外円筒の外周面まで延出すると共に、該後凸部の末端に組立ネジ孔が凹設され、
前記送風カバーは、外円筒の後端に取り付けられると共に、後凸部に設置される送風円筒を有し、該送風円筒に前記凹部が凹設され、該送風円筒の外周面における、組立ネジ孔と対応する箇所に組立貫通孔が形成され、該組立貫通孔から固定ボルトが挿入され、対応する組立ネジ孔に螺合されることを特徴とする請求項２乃至４の何れか１項に記載の空冷モーターのジャケット。
【請求項６】
前記送風円筒の外端に蓋板が取り付けられ、該送風円筒の外周面の一側に開口が形成され、該開口の周囲にフレームが設けられ、該フレームに複数のボルトにより、換気扇である送風機が設置されることを特徴とする請求項５に記載の空冷モーターのジャケット。
【請求項７】
前記送風円筒の外周面にモーター配線管及び送風機配線管が設けられることを特徴とする請求項６に記載の空冷モーターのジャケット。
【請求項８】
前記送風円筒の後端に、換気扇である送風機が取り付けられることを特徴とする請求項５に記載の空冷モーターのジャケット。
【請求項９】
前記送風円筒の外周面にモーター配線管及び送風機配線管が形成されることを特徴とする請求項８に記載の空冷モーターのジャケット。
【請求項１０】
外周面に複数の放熱フィン１が間隔をおいて軸方向に沿って設けられる内円筒と、該内円筒の外側を覆うように設けられる外円筒と、該内円筒と外円筒との間に設けられると共に、軸方向に沿って設けられ、前端端面に前ネジ穴が、後端端面に後前ネジ穴が形成される複数の間隔バーと、該内円筒と外円筒との間に該間隔プレートにより区画される複数の通気路とを備える放熱ケースと、
前記前蓋は、前記外円筒と同一の直径を有し、放熱ケースの前端に円形の前部プレートが取り付けられ、該前部プレートの中央に前軸孔が形成され、該前軸孔の内部に外側の内径より大きい内径拡大部が形成され、その内径拡大部に前部ベアリングが嵌合され、該前部プレートの内側面における、前ネジ穴と対応する箇所にそれぞれ前連結管が設けられ、該前連結管の後端が内円筒の前端及び各前ネジ穴に当接され、該前部プレートの外側面における、前ネジ穴と対応する箇所にそれぞれ前貫通孔が形成され、前部ボルトが該前貫通孔に挿入され、対応する前ネジ穴に螺合される前蓋と、
円形のプレートであり、通気路が外部と連通するように、後部ボルトにより後ネジ穴に螺合されることによって、前記放熱ケースの後端に取り付けられ、中央に後軸孔が形成されると共に、該後軸孔の内部に外側の内径より大きい内径拡大部が形成され、その内径拡大部に後部ベアリングが嵌合され、該後軸孔の周縁近傍に複数の電線通過孔が形成される後蓋と、送風装置を有し、
前記前蓋はさらに、前記外円筒の前端に当接されると共に、前部プレートの内側面の周縁に外部連結円筒部材が後方に向かって延設され、該外部連結円筒部材の外周面の一側に矩形の開口が形成され、該開口の周囲にフレームが設けられ、該フレームにボルトにより送風装置が取り付けられる
ことを特徴とする空冷モーターのジャケット。
【請求項１１】
前記放熱ケースにおける外円筒及び間隔バーの外側部分に凹み部Ｃが凹設され、
前記外部連結円筒部材は、外円筒の前端に当接するように取り付けられると共に、前記凹み部を塞ぐことを特徴とする請求項１０に記載の空冷モーターのジャケット。
【請求項１２】
前記後蓋は、内円筒と同一の直径を有し、放熱ケースの後端に取り付けられる円形の後部プレートを備え、該後部プレートの中央に後軸孔が形成され、該後軸孔の周縁近傍に電線通過孔が形成されると共に、該後部プレートの外周面に、前記各間隔バーと対応する複数の後凸部が放射状に延設され、該後凸部の内端に後ネジ穴と対応する後貫通孔が形成され、該後貫通孔から後部ボルトが挿入され、後ネジ穴に螺合されることを特徴とする請求項１０又は１１に記載の空冷モーターのジャケット。
【請求項１３】
前記前部プレートの外周面の斜め下方に、前結合孔を有する前足部が設けられ、
前記後部プレートの外周面の斜め下方における、前足部と反対する側に、後結合孔を有する後足部が設けられ、
前記送風カバーにおける、後足部と対応する箇所に、該後足部の上端を受け入れる凹部が凹設され、
前記内円筒の外周面と外円筒の内周面との間に細長状の連結部材が設けられ、該外円筒の外周面における、連結部材の両端近傍にそれぞれ吊り孔が形成され、該吊り孔に吊りリングが設置されることを特徴とする請求項１２に記載の空冷モーターのジャケット。
【請求項１４】
前記前部プレートの外周面の下部に、下方へ行くにつれて狭くなる逆台形状を呈する支持足部が延設され、該支持足部の底面の両側近傍にネジ穴が形成され、
前記後部プレートの外周面の下部に、下方へ行くにつれて狭くなる逆台形状を呈する支持足部が延設され、該支持足部の底面の両側近傍にネジ穴が形成され、
前記送風カバーに該支持足部の上端を受け入れる凹部が凹設されることを特徴とする請求項１２に記載の空冷モーターのジャケット。
【請求項１５】
外周面に複数の放熱フィンが間隔をおいて軸方向に沿って設けられる内円筒と、該内円筒に設けられる外円筒と、該内円筒と外円筒との間に設けられると共に、軸方向に沿って設けられ、前端面に前ネジ穴が、後端面に後前ネジ穴が形成される複数の間隔バーと、該内円筒と外円筒との間に該間隔バーにより区画される複数の通気路とを備える放熱ケースを有することを特徴とする空冷モーターのジャケット。
【請求項１６】
前記内円筒の外周面と外円筒の内周面との間に長細状の連結部材が設けられ、該外円筒の外周面における、連結部材の両端近傍にそれぞれ吊り孔が形成され、該吊り孔に吊りリングが設置されることを特徴とする請求項１５に記載の空冷モーターのジャケット。
【考案の詳細な説明】
【技術分野】
【０００１】
本考案は、空冷モーターであり、ジャケット内に空気を流すことにより、排熱して冷却する空冷モーター及びそのジャケットに関するものである。
【背景技術】
【０００２】
既存の空冷モーターは、ジャケットの内部に回転子及び軸などの構成部材が組み込まれていることから、モーターを起動した時に、熱を発生するという問題を有するので、その熱を排出するために、ジャケットに複数の放熱フィンを設け、それら放熱フィンにより放熱可能な面積を増加させて冷却効果を高めている。
【０００３】
また、既存の空冷モーターは、放熱フィンを設けることにより、放熱面積を増加させることはできるが、周囲の空気を流動させる構造を有しないので、モーターの稼働により発生した熱を速やかに移動させることができない。故に、既存のモーターの放熱効率を高めることができなく、更に、モーターが過熱状態となるので、使用寿命が短くなるという問題があった。
【先行技術文献】
【特許文献】
【０００４】
【特許文献１】特開２０１０−２１６４８４号公報
【考案の概要】
【考案が解決しようとする課題】
【０００５】
上述したように、既存の空冷モーターのジャケットは、熱を排出することはできるが、排熱効率をより高めるために、改良する必要があった。
【課題を解決するための手段】
【０００６】
本考案に係る空冷モーターは、外周面に複数の放熱フィンが間隔をおいて軸方向に沿って設けられる内円筒と、該内円筒の外側を覆うように設けられる外円筒と、該内円筒と外円筒との間に設けられると共に、軸方向に沿って設けられ、前端面に前ネジ穴が、後端面に後ネジ穴が形成される複数の間隔プレートと、該内円筒と外円筒との間に該間隔プレートにより区画される複数の通気路とを備える放熱ケースと、
円形のプレートであり、前記通気路が外部と連通するように、前部ボルトにより前ネジ穴に螺合されることによって、前記放熱ケースの前端に取り付けられ、その中央に前軸孔が形成され、該前軸孔の内部に外側の内径より大きい内径拡大部が形成され、その内径拡大部に前部ベアリングＡが嵌合される前蓋と、
円形のプレートであり、前記通気路が外部と連通するように、後部ボルトにより後ネジ穴に螺合されることによって、前記放熱ケースの後端に取り付けられ、その中央に後軸孔が形成され、該後軸孔の内部に外側の内径より大きい内径拡大部が形成され、その内径拡大部に後部ベアリングが嵌合され、該後軸孔の周縁近傍に複数の電線通過孔が形成される後蓋と、
前記外円筒の後端に取り付けられる送風カバーと、該送風カバーに取り付けられる送風機を備える送風装置を有するものである。
【０００７】
前記前蓋は、外円筒と同一の直径を有し、放熱ケースの前端に取り付けられる円形の前部プレートを備え、該前部プレートの中央に前軸孔が形成され、該前部プレートの内側面における、前ネジ穴と対応する箇所にそれぞれ前連結管が設けられ、該前部プレートの外側面における、前ネジ穴と対応する箇所にそれぞれ前貫通孔が形成され、前記前部ボルトが該前貫通孔に挿入され、対応する前ネジ穴に螺合され、
前記後蓋は、内円筒と同一の直径を有し、放熱ケースの後端に取り付けられる円形の後部プレートを備え、該後部プレートの中央に後軸孔が形成され、該後軸孔の周縁近傍に電線通過孔が形成されると共に、該後部プレートの外周面に、前記各間隔バーと対応する複数の後凸部が放射状に延設され、該後凸部の内端に後ネジ穴と対応する後貫通孔が形成され、該後貫通孔から後部ボルトが挿入され、後ネジ穴に螺合されることが好ましい。
【０００８】
前記前部プレートの外周面の斜め下方に、前結合孔を有する前足部が設けられ、
前記後部プレートの外周面の斜め下方における、前足部と反対する側に、後結合孔を有する後足部が設けられ、
前記送風カバーにおける、後足部と対応する箇所に、該後足部の上端を受け入れる凹部が凹設され、
前記内円筒の外周面と外円筒の内周面との間に細長状の連結部材が設けられ、該外円筒の外周面における、連結部材の両端近傍にそれぞれ吊り孔が形成され、該吊り孔に吊りリングが設置されることが好ましい。
【０００９】
前記前部プレートの外周面の下部に、下方へいくにつれて狭くなる逆台形状を呈する支持足部が延設され、該支持足部の底面の両側近傍にネジ穴が形成され、
前記後部プレートの外周面の下部に、下方へいくにつれて狭くなる逆台形状を呈する支持足部が延設され、該支持足部の底面の両側近傍にネジ穴が形成され、
前記送風カバーに該支持足部の上端を受け入れる凹部が凹設されることが好ましい。
【００１０】
前記後凸部の外端は外円筒の外周面まで延出すると共に、該後凸部の末端に組立ネジ孔が凹設され、
前記送風カバーは、外円筒の後端に取り付けられると共に、後凸部に設置される送風円筒を有し、該送風円筒に前記凹部が凹設され、該送風円筒の外周面における、組立ネジ孔と対応する箇所に組立貫通孔が形成され、該組立貫通孔から固定ボルトが挿入され、対応する組立ネジ孔に螺合されることが好ましい。
【００１１】
前記送風円筒の外端に蓋板が取り付けられ、該送風円筒の外周面の一側に開口が形成され、該開口の周囲にフレームが設けられ、該フレームに複数のボルトにより、換気扇である送風機が設置されることが好ましい。
【００１２】
前記送風円筒の外周面にモーター配線管及び送風機配線管が設けられることが好ましい。
【００１３】
前記送風円筒の後端に、換気扇である送風機が取り付けられることが好ましい。
【００１４】
前記送風円筒の外周面にモーター配線管及び送風機配線管が形成されることが好ましい。
【００１５】
外周面に複数の放熱フィン１が間隔をおいて軸方向に沿って設けられる内円筒と、該内円筒の外側を覆うように設けられる外円筒と、該内円筒と外円筒との間に設けられると共に、軸方向に沿って設けられ、前端端面に前ネジ穴が、後端端面に後前ネジ穴が形成される複数の間隔バーと、該内円筒と外円筒との間に該間隔プレートにより区画される複数の通気路とを備える放熱ケースと、
前記前蓋は、前記外円筒と同一の直径を有し、放熱ケースの前端に円形の前部プレートが取り付けられ、該前部プレートの中央に前軸孔が形成され、該前軸孔の内部に外側の内径より大きい内径拡大部が形成され、その内径拡大部に前部ベアリングが嵌合され、該前部プレートの内側面における、前ネジ穴と対応する箇所にそれぞれ前連結管が設けられ、該前連結管の後端が内円筒の前端及び各前ネジ穴に当接され、該前部プレートの外側面における、前ネジ穴と対応する箇所にそれぞれ前貫通孔が形成され、前部ボルトが該前貫通孔に挿入され、対応する前ネジ穴に螺合される前蓋と、
円形のプレートであり、通気路が外部と連通するように、後部ボルトにより後ネジ穴に螺合されることによって、前記放熱ケースの後端に取り付けられ、中央に後軸孔が形成されると共に、該後軸孔の内部に外側の内径より大きい内径拡大部が形成され、その内径拡大部に後部ベアリングが嵌合され、該後軸孔の周縁近傍に複数の電線通過孔が形成される後蓋と、送風装置を有し、
前記前蓋はさらに、前記外円筒の前端に当接されると共に、前部プレートの内側面の周縁に外部連結円筒部材が後方に向かって延設され、該外部連結円筒部材の外周面の一側に矩形の開口が形成され、該開口の周囲にフレームが設けられ、該フレームにボルトにより送風装置が取り付けられるものを提供する。
【００１６】
前記放熱ケースにおける外円筒及び間隔バーの外側部分に凹み部Ｃが凹設され、
前記外部連結円筒部材は、外円筒の前端に当接するように取り付けられると共に、前記凹み部を塞ぐことを特徴とする請求項１０に記載の空冷モーターのジャケット。
【００１７】
前記後蓋は、内円筒と同一の直径を有し、放熱ケースの後端に取り付けられる円形の後部プレートを備え、該後部プレートの中央に後軸孔が形成され、該後軸孔の周縁近傍に電線通過孔が形成されると共に、該後部プレートの外周面に、前記各間隔バーと対応する複数の後凸部が放射状に延設され、該後凸部の内端に後ネジ穴と対応する後貫通孔が形成され、該後貫通孔から後部ボルトが挿入され、後ネジ穴に螺合されることが好ましい。
【００１８】
前記前部プレートの外周面の斜め下方に、前結合孔を有する前足部が設けられ、
前記後部プレートの外周面の斜め下方における、前足部と反対する側に、後結合孔を有する後足部が設けられ、
前記送風カバーにおける、後足部と対応する箇所に、該後足部の上端を受け入れる凹部が凹設され、
前記内円筒の外周面と外円筒の内周面との間に細長状の連結部材が設けられ、該外円筒の外周面における、連結部材の両端近傍にそれぞれ吊り孔が形成され、該吊り孔に吊りリングが設置されることが好ましい。
【００１９】
前記前部プレートの外周面の下部に、下方へ行くにつれて狭くなる逆台形状を呈する支持足部が延設され、該支持足部の底面の両側近傍にネジ穴が形成され、
前記後部プレートの外周面の下部に、下方へ行くにつれて狭くなる逆台形状を呈する支持足部が延設され、該支持足部の底面の両側近傍にネジ穴が形成され、
前記送風カバーに該支持足部の上端を受け入れる凹部が凹設されることが好ましい。
【００２０】
外周面に複数の放熱フィンが間隔をおいて軸方向に沿って設けられる内円筒と、該内円筒に設けられる外円筒と、該内円筒と外円筒との間に設けられると共に、軸方向に沿って設けられ、前端面に前ネジ穴が、後端面に後前ネジ穴が形成される複数の間隔バーと、該内円筒と外円筒との間に該間隔バーにより区画される複数の通気路とを備える放熱ケースを有することが好ましい。
【００２１】
前記内円筒の外周面と外円筒の内周面との間に長細状の連結部材が設けられ、該外円筒の外周面における、連結部材の両端近傍にそれぞれ吊り孔が形成され、該吊り孔に吊りリングが設置されることが好ましい。
【考案の効果】
【００２２】
本考案に係る空冷モーター及びそのジャケットによれば、送風機からの風が通気路を通って内円筒の放熱フィンと接触することにより、モーターの稼動により発生した熱をジャケットの外部へ移動させることができ、また、それら放熱フィンにおける風との接触面積が広いことから、モーターの温度を速やかに下げて、過熱によるモーターの故障を防ぐことができるので、モーターの使用寿命を延長することができる。
【図面の簡単な説明】
【００２３】
【図１】本考案に係る空冷モーターのジャケットにおける第一実施例の斜視図である。
【図２】本考案に係る空冷モーターのジャケットにおける第一実施例の部分分解斜視図である。
【図３】本考案に係る空冷モーターのジャケットにおける第一実施例の他の部分分解斜視図である。
【図４】本考案に係る空冷モーターのジャケットにおける第一実施例の部分断面斜視図である。
【図５】本考案に係る空冷モーターのジャケットにおける第一実施例の部分拡大断面斜視図である。
【図６】本考案に係る空冷モーターのジャケットにおける第二実施例の底面視斜視図である。
【図７】本考案に係る空冷モーターのジャケットにおける第三実施例の背面視斜視図である。
【図８】本考案に係る空冷モーターのジャケットにおける第三実施例の部分断面平面図である。
【図９】本考案に係る空冷モーターのジャケットにおける第四実施例の正面視斜視図である。
【図１０】本考案に係る空冷モーターのジャケットにおける第四実施例の背面視斜視図である。
【図１１】本考案に係る空冷モーターのジャケットにおける第四実施例の部分分解斜視図である。
【図１２】本考案に係る空冷モーターのジャケットにおける第四実施例の部分断面図である。
【考案を実施するための形態】
【００２４】
以下、添付図面を参照して本考案の好適な実施の形態を詳細に説明する。なお、下記実施例は、本考案の好適な実施の形態を示したものにすぎず、本考案の技術的範囲は、下記実施例そのものに何ら限定されるものではない。
【００２５】
図１乃至図４に示すように、本考案に係る空冷モーターのジャケットにおける第一実施例は、放熱ケース１０と、前蓋２０と、後蓋３０と、送風装置５０とを有し、その内、該放熱ケース１０は、内円筒１１と、該内円筒１１に設けられる外円筒１２と、該内円筒１１と外円筒１２との間に設けられる複数の間隔バー１３と、該各間隔バー１３との間に設けられる複数の通気路１４とを備える。
【００２６】
前記内円筒１１は、円筒状を呈し、外周面に複数の放熱フィン１１１が間隔をおいて設けられ、該放熱フィン１１１は、内円筒１１の外周面において長手方向と同一の長さで延設され、前記外円筒１２は、内円筒１１より大きい直径を有し、内円筒１１と同軸に設けられ、前記複数の間隔バー１３は、８つを有し、該内円筒１１と外円筒１２との間において長手方向と同一の長さで所定の間隔で設けられ、該各間隔バー１３における、外円筒１２の近傍に、内円筒１１の近傍より広い広幅部が設けられる。該各間隔バー１３における、前端端面の広幅部に前ネジ穴１３１が形成されると共に、後端端面の広幅部に後ネジ穴１３２が形成され、前記複数の通気路１４は８通り有し、それらは共に、該内円筒１１と外円筒１２との間において間隔バー１３により区画されている。
【００２７】
また、前記内円筒１１の外周面と外円筒１２の内周面との間に、該内円筒１１及び外円筒１２の長手方向と同一の長さで連結部材１５が設けられると共に、該外円筒１２の外周面における、連結部材１５のと対応する位置の両側近傍にそれぞれ吊り孔１６が形成される。
【００２８】
前記前蓋２０は、前記通気路１４が外部と連通するように、放熱ケース１０の前端に、外円筒１２と同一の直径を有する円形プレートである前部プレート２１が取り付けられ、該前部プレート２１の中央に前軸孔２１１が形成され、該前軸孔２１１の放熱ケース１０側の内径が外側の内径より大きく、内径拡大部が設けられ、その内径拡大部に前部ベアリングＡが嵌合され、該前部プレート２１の外周面の斜め下方に、前結合孔２２１を有する前足部２２が設けられる。
【００２９】
また、前記前部プレート２１の内側面における、間隔バー１３の広幅部と対応する箇所にそれぞれ前連結管２３が設けられ、該前連結管２３の後端は、内円筒１１の前端及び各前ネジ穴１３１に当接され、該前部プレート２１の外側面における、間隔バー１３の前ネジ穴１３１と対応する箇所にそれぞれ前貫通孔２１２が形成され、前部ボルト２４が該前貫通孔２１２に挿入され、対応する間隔バー１３の前ネジ穴１３１に螺合される。
【００３０】
前記後蓋３０は、前記通気路１４が外部と連通するように、放熱ケース１０の後端に取り付けられる後部プレート３１を有し、該後部プレート３１は、内円筒１１と同じの直径を有する円形プレートであり、その中央に後軸孔３１１が形成され、該後軸孔３１１の放熱ケース１０側に内径が外側の内径より大きく、内径拡大部を有し、該内径拡大部に後部ベアリングＢが嵌合され、更に、該後軸孔３１１の周縁近傍に３つの電線通過孔３１２が形成され、該後部プレート３１の外周面の斜め下方に、後結合孔３２１を有する後足部３２が設けられる。尚、前記後足部３２は、前足部２２と反対する側に設けられることが好ましい。
【００３１】
また、前記後部プレート３１の外周面に、前記各間隔バー１３と対応する複数の後凸部３３が放射状に延設され、該後凸部３３及び後足部３２の内端に間隔バー１３の後ネジ穴１３２と対応する、皿穴である後貫通孔３３１が形成され、後部ボルト３４が該後貫通孔３３１に挿入されて間隔バー１３の後ネジ穴１３２に螺合される。更に、その後凸部３３の外端が外円筒１２の外周面まで延出され、該後凸部３３の末端に組立ネジ孔３３２が凹設される。
【００３２】
また、前記放熱ケース１０には２つの吊りリング４０が取り付けられてもよく、該各吊りリング４０は、該放熱ケース１０の吊り孔１６に螺合されるリング部４１と、該リング部４１の外端に設けられる螺合柱４２とを有する。
【００３３】
前記送風装置５０は、送風カバー５１と、ボルト５２と、送風機５３と、モーター配線管５４と、送風機配線管５５とを有し、その内、該送風カバー５１は、外円筒１２の後端に取り付けられると共に、後蓋３０の後凸部３３に設置される送風円筒５１１を有し、該送風円筒５１１における、後足部３２と対応する箇所に、該後足部３２の上端を受け入れる凹部５１５が凹設され、該送風円筒５１１の外周面における、各後凸部３３の組立ネジ孔３３２と対応する箇所に組立貫通孔５１２が形成され、該組立貫通孔５１２にボルト５２が挿入されて対応する組立ネジ孔３３２に螺合される。
【００３４】
さらに、前記送風円筒５１１の外端に、前記送風円筒５１１の外端開口をカバーする蓋板５１３が取り付けられ、該送風円筒５１１の外周面の一側に開口５１４が形成され、該開口５１４の周囲にフレーム５１６が設けられ、該フレーム５１６に複数のボルトにより送風機５３が設置される。その送風機５３には、矩形の送風口５３１が形成され、該送風口５３１は開口５１４と対応するように該フレーム５１６に取り付けられ、また、前記モーター配線管５４及び送風機配線管５５は、送風円筒５１１の外周面に形成される。尚、その送風機５３は、換気扇であってもよい。
【００３５】
図１乃至図５に示すように、本考案に係る空冷モーターのジャケットにおける第一実施例を使用する時は、モーターの回転子及び軸などの構成部材を前蓋２０と後蓋３０との間に、すなわち、放熱ケース１０の内部に組み込まれ、モーターの電源線を送風装置５０のモーター配線管５４を通過させて後蓋３０の電線通過孔３１２を通過させると、放熱ケース１０の内部に配線することが可能であり、また、送風機５３の電線を送風カバー５１の送風機通線孔５５を通過させると、送風カバー５１の内部に配線することが可能である。なお、そのモーターは、軸を介して変速装置と連動するように装着されてもよく、軸をジャケットを通過して外部で変速装置と連動するように装着されてもよい。
【００３６】
図５に示すように、本考案に係る空冷モーターのジャケットにおける第一実施例を用いてモーターからの熱を排出する場合は、先ず送風機５３を駆動して風を送り出し、この後、送風カバー５１を介して放熱ケース１０の各通気路１４を通過させ、内円筒１１の放熱フィン１１１と接触させることにより、モーターの運転により発生した熱をジャケットの外部へ移動させて排出する。この構成によれば、風と放熱フィン１１１との接触面積が大きいことから、モーターの温度をスムーズに下げることができるので、過熱によるモーターの故障を防ぎ、モーターの使用寿命を延長することができる。
【００３７】
本考案に係る空冷モーターのジャケットにおける第一実施例を使用する時は、前蓋２０の前足部２２と、後蓋３０の後足部３２と、吊りリング４０により、三角形のようにモーター及びジャケットを安定して配置させることができ、例えば、前足部２２及び後足部３２をそれぞれ所定の位置に配置でき、吊りリング４０がフックなどの部材により吊り下げられるので、モーター及びジャケットを安定して位置決めることができる。
【００３８】
また、その前蓋２０の前足部２２及び後蓋３０の後足部３２は必ずしも設ける必要はなく、前蓋２０及び後蓋３０の下部にそれぞれ支持足部が設けられて対応する部材に挿設さしてモーターのジャケットが配置できればよい。
【００３９】
図６に示すように、本考案の第二実施例においては、前蓋２０Ａの前部プレート２１Ａの外周面下部に、下方へ行くにつれて狭くなる逆台形を呈する支持足部２２Ａが延設され、該支持足部２２Ａの底面の両側近傍にネジ穴２２１Ａが形成される。一方、後蓋３０Ａの後部プレート３１Ａの外周面下部に、下方へ行くにつれて狭くなる逆台形を呈する支持足部３２Ａが延設され、該支持足部３２Ａの底面の両側近傍にネジ穴３２１Ａが形成される。また、送風円筒５１１Ａに該支持足部３２Ａの上端を受け入れる凹部５１５Ａが凹設される。
【００４０】
前記第二実施例においては、上述した構造において第一実施例と異なるが、他の構造や、使用方法、効果などは殆ど第一実施例と同一であるので、その詳細な説明は省略する。
【００４１】
前記第一実施例及び第二実施例は主に、送風カバー５１の一側に設けられた送風機５３を用いて横から送風カバー５１へ送風し、風を放熱ケース１０の通気路１４へ通すことにより、熱を排出する。さらに、前記実施例においては、送風機５３を送風カバー５１の一側に設けて横から送風してもよく、また、送風機５３を送風カバー５１の後端に設けて前方に向かって直線的に送風しもよい。
【００４２】
図７及び図８に示すように、本考案に係る空冷モーターのジャケットにおける第三実施例の構成は、殆ど第一実施例と同一であるが、送風カバー５１Ｂの送風円筒５１１Ｂの外周面に開口を有しなく、送風円筒５１１Ｂの後端に送風機５３Ｂが取り付けられる点において異なる。尚、第三実施例の使用方法は、第一実施例と同一であることから、その説明は省略する。
【００４３】
上述したように、前記第一実施例乃至第三実施例においては主に、放熱ケース１０の後端に取り付けられた送風装置５０によって、放熱ケース１０の後端から前端へ向かって送風し、風を放熱ケース１０の各通気路１４から外部へ排出するものである。
【００４４】
また、本考案に係る空冷モーターのジャケットは、上述した形態のみではなく、例えば、送風装置５０を設置せずに、前蓋２０を軸方向に沿って延長させて放熱ケース１０の前端部分をカバーするように取り付け、該前蓋２０に送風機を取り付けることにより、該送風機で放熱ケース１０の前端から風を通気路１４を介して後端へ送り、モーターからの熱を排出してもよい。
【００４５】
図９乃至図１２に示すように、前記構造は、第四実施例にて説明されている。その第四実施例においては、放熱ケース１０Ｃにおける外円筒１２Ｃと、間隔バー１３Ｃの外側部分と、連結部材１５Ｃの外側部分に凹み部Ｃが凹設され、その構造により、内円筒１１Ｃの前端を外円筒１２Ｃの前端から突出させ、また、各間隔バー１３Ｃの前端内側に前ネジ穴１３１Ｃが凹設され、それら間隔バー１３Ｃにより内円筒１１Ｃと外円筒１２Ｃとの間に、凹み部Ｃと連通する８つの通気路１４Ｃが軸方向に沿って形成される。
【００４６】
前記前蓋２０Ｃは、内円筒１１Ｃの前端及び前ネジ穴１３１Ｃに当接されるように、前部プレート２１Ｃの内側面に後方に伸びるように前連結リング２３Ｃが設けられ、該前部プレート２１Ｃの外側面に前ネジ穴１３１Ｃと対応する、皿穴の前貫通孔２１２Ｃが形成され、前部ボルト２４Ｃが該各前貫通孔２１２Ｃに挿入され、対応する前ネジ穴１３１Ｃに螺合されると、前蓋２０Ｃが放熱ケース１０Ｃに組み合わされる。
【００４７】
また、前記前蓋２０Ｃは、外円筒１２Ｃの前端に取り付けられ、ように、前部プレート２１Ｃの内側面の周縁に、凹み部Ｃをカバーする外部連結円筒部材２５Ｃが設けられ、該外部連結円筒部材２５Ｃと前部連結円筒部材２３Ｃとの間に環状空間が形成され、その環状空間に凹み部Ｃが位置して空気通路の一部となる。更に、該外部連結円筒部材２５Ｃの外周面の一側に矩形の開口２６Ｃが形成され、該開口２６Ｃの周囲に、送風装置５０Ｃを設置するためのフレーム２６１Ｃが設けられ、該送風装置５０Ｃを設置する時は、送風装置５０Ｃの矩形の送風開口５１Ｃがフレーム２６１Ｃと対応するように、ボルトにより送風装置５０Ｃをフレーム２６１Ｃに取り付ける。
【００４８】
第四実施例は、上述した構造において異なるが、他の構造は殆ど第一実施例乃至第三実施例と同一であるので、その詳細な説明は省略する。
【００４９】
尚、第四実施例においては、上述したような凹み部Ｃを必ずしも形成する必要はなく、この凹み部Ｃを有しない場合には、外部連結円筒部材２５Ｃの後端を外円筒１２Ｃの前端に取り付けて、外部連結円筒部材２５Ｃと前部連結円筒部材２３Ｃとの間における環状空間を各通気路１４Ｃと連通させてもよい。
【００５０】
図１１及び図１２に示すように、第四実施例を使用する時は、放熱ケース１０Ｃの内部にモーターを設置し、送風装置５０Ｃを駆動して送風し、風を外部連結円筒部材２５Ｃの開口２６Ｃから外部連結円筒部材２５Ｃと前部連結円筒部材２３Ｃとの間に形成された環状空間を介して各通気路１４Ｃに送り、通気路１４Ｃの後端から排出し、風が通気路１４Ｃを通過している時に放熱フィンと接触させることにより、熱を移動させてモーターの温度を下げるので、モーターの使用寿命を延長することができる。
【産業上の利用可能性】
【００５１】
本考案に係る空冷モーターのジャケットは、上述した構造を有するので、送風機からの風が通気路を通って内円筒の放熱フィンと接触することにより、モーターの運転で発生した熱をジャケットの外部へ移動させることができ、また、風とそれら放熱フィンとの接触面積が大きいことから、モーターの温度をスムーズに下げることができるので、過熱によるモーターの故障を防ぎ、モーターの使用寿命を延長することができる。
【符号の説明】
【００５２】
Ａ  前部ベアリング        Ｂ  後部ベアリング
１０  放熱ケース            １１  内円筒
１１１  放熱フィン            １２  外円筒
１３  間隔バー              １３１ 前ネジ穴
１３２  後ネジ穴              １４  通気路
１４  通気路                １５  連結部材
１６  吊り孔                ２０  前蓋
２１  前部プレート          ２１１ 前軸孔
２２  前足部                ２２１ 前結合孔
２１２  前貫通孔              ２３  前連結管
２４  前部ボルト            ３０  後蓋
３１  後部プレート          ３１１ 後軸孔
３１２  電線通過孔            ３２  後足部
３２１  後結合孔              ３３  後凸部
３３１  後貫通孔              ３３２ 組立ネジ孔
３４  後部ボルト            ４０  吊りリング
４１  リング部              ４２  螺合柱
５０  送風装置              ５１  送風カバー
５１１  送風円筒              ５１２ 組立貫通孔
５１３  蓋板                  ５１４ 開口
５１５  凹部                  ５１６ フレーム
５２  ボルト                ５３  送風機
５３１  送風口                ５４  モーター配線管
５５  送風機配線管          ２０Ａ 前蓋
２１Ａ  前部プレート          ２２Ａ 支持足部
２２１Ａ ネジ穴                ３０Ａ 後蓋
３１Ａ  後部プレート          ３２Ａ 支持足部
３２１Ａ ネジ穴                ５１１Ａ送風円筒
５１５Ａ 凹部                  ５１Ｂ 送風カバー
５１１Ｂ 送風円筒              ５３Ｂ 送風機
Ｃ  凹み部                １０Ｃ 放熱ケース
１１Ｃ  内円筒                １２Ｃ 外円筒
１３Ｃ  間隔バー              １３１Ｃ 前ネジ穴
１４Ｃ  通気路                １５Ｃ 連結部材
２０Ｃ  前蓋                  ２１Ｃフロントプレート
２３Ｃ  前連結リング          ２１２Ｃ 前貫通孔
２６１Ｃ フレーム              ２５Ｃ  外連結リング
２６Ｃ  開口                  ５０Ｃ  送風装置
５１Ｃ  送風開口
【図１】
0003178531.tif 000003
【図２】
0003178531.tif 000004
【図３】
0003178531.tif 000005
【図４】
0003178531.tif 000006
【図５】
0003178531.tif 000007
【図６】
0003178531.tif 000008
【図７】
0003178531.tif 000009
【図８】
0003178531.tif 000010
【図９】
0003178531.tif 000011
【図１０】
0003178531.tif 000012
【図１１】
0003178531.tif 000013
【図１２】
0003178531.tif 000014